(57)【特許請求の範囲】
【請求項１】
オフセット印刷機とデジタル印刷機とを備え、ウェブに印刷を施す新聞用輪転機であって、
前記オフセット印刷機は、ウェブを供給するウェブ供給手段と、前記ウェブに対して印刷を施すオフセット印刷部とを有するタワー型オフセット印刷ユニットを備え、
前記デジタル印刷機は、前記オフセット印刷機の上方の搬送経路上の前記ウェブに対して印刷可能に配置され、前記オフセット印刷機の装置フレームに支持され、
前記タワー型オフセット印刷ユニットで印刷可能な最大幅であるオフセット印刷幅は、新聞紙の複数頁幅を印刷可能なサイズに設定されると共に、前記デジタル印刷機で印刷可能な最大幅であるデジタル印刷幅は、前記オフセット印刷幅よりも小さなサイズに設定され、
前記デジタル印刷機は、前記ウェブに前記デジタル印刷幅で印刷を施す印刷ヘッドと、前記ウェブの幅方向に沿って前記印刷ヘッドを移動させるヘッド移動手段と、前記デジタル印刷機の作動を制御するデジタル印刷制御手段とを備え、
前記デジタル印刷制御手段は、生産管理装置から取得した絵柄情報に基づいて、前記ヘッド移動手段の作動を制御して、前記印刷ヘッドを、前記デジタル印刷機により印刷を施すことが予定されたデジタル印刷領域に移動させる
ことを特徴とする、新聞用輪転機。
【請求項２】
オフセット印刷機とデジタル印刷機とを備え、ウェブに印刷を施す新聞用輪転機であって、
前記オフセット印刷機は、ウェブを供給するウェブ供給手段と、前記ウェブに対して印刷を施すオフセット印刷部とを有するタワー型オフセット印刷ユニットを備え、
前記デジタル印刷機は、前記オフセット印刷機の上方の搬送経路上の前記ウェブに対して印刷可能に配置され、前記オフセット印刷機の装置フレームに支持され、
折胴及び鋸胴を有して、前記オフセット印刷機及び前記デジタル印刷機の少なくとも一方により印刷を施された前記ウェブを、前記折胴により折ると共に前記鋸胴により断裁する折機と、
前記オフセット印刷機の作動を制御するオフセット印刷制御手段と、
前記デジタル印刷機の作動を制御するデジタル印刷制御手段と、
前記折機の前記鋸胴の作動を制御する鋸胴制御手段とを備え、
前記デジタル印刷制御手段は、生産管理装置から絵柄情報を取得し、前記絵柄情報に基づいて、前記オフセット印刷機と前記デジタル印刷機との両方を使用して印刷を行うと判断した場合には、前記オフセット印刷制御手段から、前記デジタル印刷機により印刷を開始する印刷開始タイミング情報を取得する一方、前記絵柄情報に基づいて、前記デジタル印刷機のみを使用して印刷を行うと判断した場合には、前記鋸胴制御手段から前記印刷開始タイミング情報を取得する
ことを特徴とする、新聞用輪転機。
【請求項３】
前記デジタル印刷機が、前記ウェブに向けてインクを噴射するインクジェット印刷機である
ことを特徴とする、請求項１に記載の新聞用輪転機。
【請求項４】
前記インクジェット印刷機は、前記印刷ヘッドよりも前記ウェブの搬送方向で下流側に、前記インクジェット印刷機より印刷を施された前記ウェブに前記インクを定着させる定着装置が設けられ、
前記定着装置は、前記オフセット印刷幅よりも小さな寸法に設定されると共に、前記定着装置を前記ウェブの幅方向に沿って移動させる定着装置移動手段とを備え、
前記定着装置移動手段は、前記生産管理装置から取得した前記絵柄情報に基づいて、前記定着装置を、前記デジタル印刷領域に対応した位置に移動させる
ことを特徴とする、請求項３に記載の新聞用輪転機。
【請求項５】
前記インクジェット印刷機は、前記印刷ヘッドよりも前記ウェブの搬送方向で下流側に、ウェブ搬送経路に面して、前記インクジェット印刷機より印刷を施された前記ウェブに前記インクを定着させる定着装置が設けられ、
前記定着装置は、前記ウェブの幅方向に沿って並べられた複数の定着ユニットと、前記複数の定着ユニットの作動を個別に制御する定着装置制御手段とを備え、
前記定着装置制御手段は、前記生産管理装置から取得した前記絵柄情報に基づいて、前記デジタル印刷領域に対応した位置にある前記定着ユニットのみを作動させる
ことを特徴とする、請求項３に記載の新聞用輪転機。
【発明の詳細な説明】
【技術分野】
【０００１】
本発明は、オフセット印刷機とデジタル印刷機とを備えた新聞用輪転機、及びそれに使用するデジタル印刷機に関する。
【背景技術】
【０００２】
近年、新聞紙（新聞紙の本紙に加え、折り込みのチラシも含む）では、固定の絵柄（以下、固定絵柄ともいう）に加えて、一部毎或いは複数部毎に変更した絵柄（以下、可変絵柄ともいう）を加えて印刷されることが増えている。可変絵柄とは、例えば、懸賞付きチラシに付された抽選番号や、クーポンなどである。このような可変絵柄を印刷することで新聞紙の付加価値を上げることができる。
【０００３】
従来、新聞紙の印刷には、印刷コストが安いこと、印刷速度が速いことなどから、オフセット輪転印刷機（以下、単に輪転印刷機ともいう）が使用されているが、輪転印刷機は版が必要なため、絵柄を変更する毎に版を変更しなければならず、可変絵柄の印刷には不向きである。このため、可変絵柄の印刷には、版を使用することなくデジタルソースをそのまま印刷することのできる（つまり印刷絵柄を容易に変更できる）インクジェット印刷機のようなデジタル印刷機が使用される。
【０００４】
可変絵柄を含む新聞紙の印刷に適用可能な大型のデジタル印刷機として、例えば特許文献１に開示された印刷物作成装置がある。
【０００５】
特許文献１（フロント頁、図３及び図５など参照。以下の説明では、参考に、特許文献１で使用されている符号を括弧付きで示す。）に開示された大型のデジタル印刷機である印刷物作成装置（１）は、インクジェット印刷機構（３３）を有するデジタル印刷ユニット（３）と、アングルバー機構（８）と、シート形成集積ユニット（７）と、セクション形成ユニット（４）とを備えて構成されている。デジタル印刷ユニット（３）で印刷された連続紙Ｗは、アングルバー機構（８）により振り分けられて、シート形成集積ユニット（７）又はセクション形成ユニット（４）に選択的に搬送される。シート形成集積ユニット（７）に搬送された連続紙Ｗは幅方向に沿って切断されて単一シート状の印刷物（７９）とされる。一方、セクション形成ユニット（４）に搬送されたに連続紙（Ｗ）は、幅方向に沿って切断された後、さらに折り丁状のセクション（４８）とされる。
【０００６】
しかし、デジタル印刷機は、一般的に輪転印刷機と較べると印刷コストが高く、特に新聞のように大量に印刷する場合には大幅なコストアップを招いてしまう。そこで、デジタル印刷機に輪転印刷機を隣設して、輪転印刷機により固定絵柄を印刷し、デジタル印刷機により可変絵柄を印刷することも考えられる。
しかし、この場合には、輪転印刷機用の設置スペースと、デジタル印刷機用の設置スペースとを別々に用意しけなければならないため、広い設置スペースが必要となってしまう。また、大型のデジタル印刷機と輪転印刷機との両方を購入する必要があるので、設備全体の価格が高額となってしまう。
【０００７】
このような大型のデジタル印刷機と輪転印刷機とを並設した場合の不具合を改善できるものとして、デジタル印刷機と輪転印刷機とを一体に構成したハイブリッド印刷機がある。ハイブリッド印刷機では、デジタル印刷機と輪転印刷機とで搬送設備など一部の設備を共用して、設置スペースや設備の価格を抑制することができる。
このようなハイブリッド印刷機として、例えば特許文献２に開示されたウェブ印刷機がある。
【０００８】
特許文献２（フロント頁、段落［００１７］など参照。以下の説明では、参考に、特許文献２で使用されている符号を括弧付きで示す。）に開示されたハイブリッド印刷機であるウェブ印刷機は、被印刷体ウェブ（Ａ，Ｂ，Ｃ）の搬送方向で上流側から、複数の印刷塔（１０，１１，１２）と、ウェブ案内装置（１８）と、反転ユニット（１５）と、折り装置（１６）とがこの順に並べられて構成されている。各印刷塔（１０，１１，１２）にはオフセット印刷用の印刷ユニット（１３）がそれぞれ備えられ、また、ウェブ案内装置（１８）には、デジタル印刷機であるインクジェット印刷装置（１９，２０）が備えられている。
このような構成により、印刷塔（１０，１１，１２）によりオフセット印刷された被印刷体ウェブ（Ａ，Ｂ，Ｃ）は、案内装置（１８）を通過する際に、インクジェット印刷装置（１９，２０）により印刷を施されるようになっている。
【先行技術文献】
【特許文献】
【０００９】
【特許文献１】特開２０１２−１４８４８６号公報
【特許文献２】特開２００８−２７３２０３号公報
【発明の概要】
【発明が解決しようとする課題】
【００１０】
しかしながら、特許文献２に開示されたハイブリッド印刷機では、インクジェット印刷装置（１９,２０）が、従来輪転機のウェブパス部に相当するウェブ案内装置（１８）の内部に組み込まれると共にインクジェット印刷装置（１９,２０）に通紙するための特別なウェブのルートを設けるために、ウェブ案内装置（１８）の構成の大幅な見直しが必要となり、ひいては従来の輪転機に較べて大きな設計変更が必要となる。
また、既設の輪転機を改造してこのハイブリッド装置と同様の構造を得ようとすると大幅な改造が必要となる。
さらには、ウェブ案内装置（１８）のインクジェット印刷装置（１９,２０）以外の構成機器が邪魔となって、インクジェット印刷装置（１９,２０）のメンテナンス作業がしづらいという不具合がある。
【００１１】
本発明は、上記のような課題に鑑み創案されたもので、一般的な新聞用輪転機に対してデジタル印刷機の装備に伴う設備価格の増大，設置スペースの増大，構造変更をそれぞれ抑制できると共に、メンテナンス作業を容易に行えるようにした、新聞用輪転機及びデジタル印刷機を提供することを目的とする。
【課題を解決するための手段】
【００１６】
（１）上記の目的を達成するために、本発明の新聞用輪転機は、オフセット印刷機とデジタル印刷機とを備え、ウェブに印刷を施す新聞用輪転機であって、前記オフセット印刷機は、ウェブを供給するウェブ供給手段と、前記ウェブに対して印刷を施すオフセット印刷部とを有するタワー型オフセット印刷ユニットを備え、前記デジタル印刷機は、前記オフセット印刷機の上方の搬送経路上の前記ウェブに対して印刷可能に配置され、前記オフセット印刷機の装置フレームに支持され、前記タワー型オフセット印刷ユニットで印刷可能な最大幅であるオフセット印刷幅は、新聞紙の複数頁幅を印刷可能なサイズに設定されると共に、前記デジタル印刷機で印刷可能な最大幅であるデジタル印刷幅は、前記オフセット印刷幅よりも小さなサイズに設定され、前記デジタル印刷機は、前記ウェブに前記デジタル印刷幅で印刷を施す印刷ヘッドと、前記ウェブの幅方向に沿って前記印刷ヘッドを移動させるヘッド移動手段と、前記デジタル印刷機の作動を制御するデジタル印刷制御手段とを備え、前記デジタル印刷制御手段は、生産管理装置から取得した絵柄情報に基づいて、前記ヘッド移動手段の作動を制御して、前記印刷ヘッドを、前記デジタル印刷機により印刷を施すことが予定されたデジタル印刷領域に移動させることを特徴としている。
【００１７】
（２）本発明のもう一つの新聞用輪転機は、オフセット印刷機とデジタル印刷機とを備え、ウェブに印刷を施す新聞用輪転機であって、前記オフセット印刷機は、ウェブを供給するウェブ供給手段と、前記ウェブに対して印刷を施すオフセット印刷部とを有するタワー型オフセット印刷ユニットを備え、前記デジタル印刷機は、前記オフセット印刷機の上方の搬送経路上の前記ウェブに対して印刷可能に配置され、前記オフセット印刷機の装置フレームに支持され、折胴及び鋸胴を有して、前記オフセット印刷機及び前記デジタル印刷機の少なくとも一方により印刷を施された前記ウェブを、前記折胴により折ると共に前記鋸胴により断裁する折機と、前記オフセット印刷機の作動を制御するオフセット印刷制御手段と、前記デジタル印刷機の作動を制御するデジタル印刷制御手段と、前記折機の前記鋸胴の作動を制御する鋸胴制御手段とを備え、前記デジタル印刷制御手段は、生産管理装置から絵柄情報を取得し、前記絵柄情報に基づいて、前記オフセット印刷機と前記デジタル印刷機との両方を使用して印刷を行うと判断した場合には、前記オフセット印刷制御手段から、前記デジタル印刷機により印刷を開始する印刷開始タイミング情報を取得する一方、前記絵柄情報に基づいて、前記デジタル印刷機のみを使用して印刷を行うと判断した場合には、前記鋸胴制御手段から前記印刷開始タイミング情報を取得することを特徴としている。
【００２０】
（３）（１）の新聞用輪転機において、前記デジタル印刷機が、前記ウェブに向けてインクを噴射するインクジェット印刷機であることが好ましい。
【００２１】
（４）前記インクジェット印刷機は、前記印刷ヘッドよりも前記ウェブの搬送方向で下流側に、前記インクジェット印刷機より印刷を施された前記ウェブに前記インクを定着させる定着装置が設けられ、前記定着装置は、前記オフセット印刷幅よりも小さな寸法に設定されると共に、前記定着装置を前記ウェブの幅方向に沿って移動させる定着装置移動手段とを備え、前記定着装置移動手段は、前記生産管理装置から取得した前記絵柄情報に基づいて、前記定着装置を、前記デジタル印刷領域に対応した位置に移動させることが好ましい。
【００２２】
（５）前記インクジェット印刷機は、前記印刷ヘッドよりも前記ウェブの搬送方向で下流側に、ウェブ搬送経路に面して、前記インクジェット印刷機より印刷を施された前記ウェブに前記インクを定着させる定着装置が設けられ、前記定着装置は、前記ウェブの幅方向に沿って並べられた複数の定着ユニットと、前記複数の定着ユニットの作動を個別に制御する定着装置制御手段とを備え、前記定着装置制御手段は、前記生産管理装置から取得した前記絵柄情報に基づいて、前記デジタル印刷領域に対応した位置にある前記定着ユニットのみを作動させることが好ましい。
【発明の効果】
【００２９】
本発明によれば、ウェブ供給手段によって供給されたウェブに対して、タワー型オフセット印刷ユニットにより固定絵柄を印刷すると共にデジタル印刷機により可変絵柄を印刷することができる。
したがって、ウェブ供給手段が、タワー型オフセット印刷ユニットとデジタル印刷機とで共用化されることとなるので、その分、デジタル印刷機を備えることによる設備価格の増大及び設置スペースの増大を抑制することができる。特に、デジタル印刷機は、オフセット印刷機の上方の搬送経路上のウェブに対して印刷可能に配置される（つまりオフセット印刷機の上方に配置される）ので、設置床面積を従来の輪転機よりも拡張することが不要となる。
【００３０】
デジタル印刷機を、オフセット印刷機内に内蔵する場合には、デジタル印刷機を内蔵に適した構造にアレンジする必要がある。これに対し、本発明では、デジタル印刷機は、オフセット印刷機の上方、すなわちオフセット印刷機に対して外付けされるので、デジタル印刷機を設けるに際してオフセット印刷機を特別に改良する必要が殆どない。したがって、オフセット印刷機に、一般的なオフセット印刷機の構造をほぼそのまま使用することができる（一般的なオフセット印刷機からの構造変更を抑制できる）。
【００３１】
また、デジタル印刷機がオフセット印刷機に対し外付けされるので、このデジタル印刷機のメンテナンスを容易に行うことができる。
【００３２】
さらには、オフセット印刷機に一般的なオフセット印刷機の構造をほぼそのまま使用することができると共にデジタル印刷機に装備に伴う設置床面積の拡張が不要となるので、既設の一般的な輪転機に対してデジタル印刷機を追設し本発明の輪転機に改造することを容易に行える。
【図面の簡単な説明】
【００３３】
【図１】本発明の各実施形態の新聞用輪転機の構成を示す模式的な側面図である。
【図２】本発明の第１実施形態に係るインクジェット印刷機の構成を示す斜め上方から視た模式的な斜視図であって、（ａ）は印刷ユニットのフレームと共に示す図、（ｂ）は片側の支持プレートを外して示す図である。
【図３】本発明の第１実施形態に係るインクジェット印刷機の構成を片側の支持プレートを外して示す模式な側面図である。
【図４】本発明の第１実施形態に係る制御装置の構成を示す模式的なブロック図である。
【図５】インクジェット印刷機の支持方法の変形例を示す模式的な正面図である。
【図６】輪転機の変形例の構成を示す模式的な側面図である。
【図７】（ａ），（ｂ）は加熱ランプ（定着装置）の変形例（定着装置移動手段を備えた例）を示す模式的な平面図である。
【発明を実施するための形態】
【００３４】
以下、図面を参照して、本発明の実施の形態について説明する。
なお、以下に示す各実施形態はあくまでも例示に過ぎず、以下の実施形態で明示しない種々の変形や技術の適用を排除する意図はない。以下の実施形態の各構成は、それらの趣旨を逸脱しない範囲で種々変形して実施することができるとともに、必要に応じて取捨選択することができ、あるいは適宜組み合わせることが可能である。
以下の説明において、上流，下流といった場合は、特段の説明を行わない限り、ウェブの搬送方向における上流，下流をいうものとする。また、説明において、幅方向といった場合は、特段の説明を行わない限り、ウェブの搬送方向に対して垂直な方向（図１において紙面に垂直な方向）をいうものとする。
【００３５】
［１．第１実施形態］
［１−１．新聞用輪転機の構成］
図１は、本発明の各実施形態としての新聞用輪転機（以下、単に輪転機という）の構成を示す模式図である。
【００３６】
新聞用輪転機（以下、単に輪転機という）１は、図１に示すように、複数のオフセット印刷ユニット２０Ａ〜２０Ｆを有するオフセット輪転印刷機（以下、単に輪転印刷機という）２と、インクジェット印刷機（デジタル印刷機）３と、ウェブパス部４と、新聞紙用の折機（第１折機）５とを備えて構成される。インクジェット印刷機３は、オフセット印刷ユニット２０Ａの上方の搬送経路１１上のウェブ１０Ａに対して印刷可能に配置され、オフセット印刷ユニット２０Ａに支持されている。
【００３７】
［１−１−１．輪転印刷機］
輪転印刷機２は、上述のとおり、複数のオフセット印刷ユニット２０Ａ〜２０Ｆを備えている（以下、オフセット印刷ユニット２０Ａ〜２０Ｆを特に区別しない場合にはオフセット印刷ユニット２０と表記する）。
各オフセット印刷ユニット２０は略同様に構成されているので、オフセット印刷ユニット２０Ａを例に取って説明する。オフセット印刷ユニット２０Ａには、給紙部２１と、インフィード部２２と、ウェブ（連続紙）１０の表裏それぞれに対して適宜の数の版胴２３ａ及びブランケット胴２３ｂが設けられた印刷部（オフセット印刷部）２３とが、給紙部２１から上方に繰り出されるウェブ１０の搬送経路に沿って上流側からこの順に設けられている。つまり、オフセット印刷ユニット２０Ａは、給紙部２１，インフィード部２２，版胴２３ａ及びブランケット胴２３ｂが上下方向に並べられたタワー型オフセット印刷ユニットである。
【００３８】
給紙部２１は、ウェブロール１０ａを装着されて、このウェブロール１０ａからウェブ１０を上述した通り上方へ繰り出す。
インフィード部２２は、給紙部２１から繰り出されたウェブ１０の張力を調整する。
【００３９】
印刷部２３には、刷版を装着された版胴２３ａと、この版胴２３ａに接触するブランケット胴２３ｂとがセットとなって、ウェブ１０の搬送方向（下から上に向かう方向）に沿って複数セット備えられている。オフセット印刷ユニット２０Ａでは、版胴２３ａとブランケット胴２３ｂとのセットが、使用されるインキ色の分だけ複数セット備えられている。例えばオフセット印刷ユニット２０Ａでは、ウェブ１０の両側にそれぞれ４組（ブラック，シアン，マゼンダ及びイエローの４色分）の版胴２３ａとブランケット胴２３ｂとが装備されており、ウェブ１０の両面に対してそれぞれブラック，シアン，マゼンダ及びイエローの４色印刷が可能となっている。
これらの版胴２３ａ，ブランケット胴２３ｂは、軸方向両端を一対のフレーム（装置フレーム，印刷部フレーム）２４ａ，２４ｂ（図２（ａ），（ｂ）参照）により回転可能に支持されている。
【００４０】
また、新聞用輪転機の場合、通常、各版胴には４頁分の刷版が装備され、本実施形態では、オフセット印刷ユニット２０Ａの各版胴２３ａには幅方向に４頁分の刷版が装備可能となっている。したがって、オフセット印刷ユニット２０Ａでは、各オフセット印刷ユニット２０の最大印刷幅（オフセット印刷幅）は新聞４頁幅であり、給紙装置２１から繰り出されるウェブ１０は新聞４頁幅を有している。なお、新聞の１頁幅は、国や紙面サイズにより異なるが、主に２６０〜４１０ｍｍの範囲である。また、オフセット印刷幅は、新聞４頁幅に限定されず、例えば２頁又は３頁であっても良い。つまり、オフセット印刷幅としては新聞２頁幅から新聞４頁幅を例示することができる。
【００４１】
また、オフセット印刷ユニット２０Ａの印刷部２３の出口にはそれぞれ図示しないスリッタが備えられており、このスリッタによって、オフセット印刷ユニット２０Ａで印刷を施されたウェブ１０は、縦断裁されて、図１の紙面奥側のウェブ１０Ａと図１の紙面手前側のウェブ１０Ｂとに新聞２頁幅ずつ二等分されるようになっている。
【００４２】
オフセット印刷ユニット２０Ａによって印刷を施されたウェブ１０Ａ，１０Ｂの内、ウェブ１０Ａは、複数のガイドローラ２５の案内によって規定された所定の搬送経路１１に沿って搬送されて、インクジェット印刷機３と、ウェブパス部４と、折機５とにこの順で搬送される。一方、ウェブ１０Ｂは、複数のガイドローラ２５によって規定された所定の搬送経路に沿って搬送されて、ウェブパス部４と、折機５とにこの順で搬送される。
ウェブ１０Ａを案内するガイドローラ２５の内、最もインクジェット印刷機３に寄せて配置されたガイドローラ２５ａは、ウェブ１０Ａをインクジェット印刷機３の入口側（図１における左側）に案内するためのものである。
【００４３】
なお、オフセット印刷ユニット２０Ｂ，２０Ｆは、オフセット印刷ユニット２０Ａと同様に、新聞４頁幅のウェブ１０に対し印刷を行う。つまり、オフセット印刷ユニット２０Ｂ，２０Ｆでは、版胴２３ａに４頁分の刷版が装備可能（つまり最大印刷幅は新聞４頁幅）であり、印刷されたウェブ１０は、印刷部２３の出口に設けられた図示しないスリッタによって、それぞれ新聞２頁幅のウェブ１０Ａ，１０Ｂに縦断裁される。そして、これらのウェブ１０Ａ，１０Ｂは、ガイドローラ２５に案内されて、ウェブパス部４と折機５とにこの順で搬送される。
一方、オフセット印刷ユニット２０Ｃ，２０Ｄ，２０Ｅは、オフセット印刷ユニット２０Ａ，２０Ｂ，２０Ｆとは異なり、新聞４頁幅のウェブ１０に対し２組の版胴２３ａとブランケット胴２３ｂとで印刷を行う。図１では簡略化して示しているが、オフセット印刷ユニット２０Ｃ，２０Ｄ，２０Ｅにより印刷されたウェブ１０は、図示しないスリッタにより縦断裁されて新聞２頁幅のウェブ１０Ａ，１０Ｂに二等分されるようになっている。
また、上記説明ではオフセット印刷ユニット２０Ａ，２０Ｂ，２０Ｃ，２０Ｄ，２０Ｅ，２０Ｆで４頁幅のウェブに印刷を行う運転条件について説明したが、１〜３頁幅のウェブを使用することもできる。１〜２頁幅のウェブに印刷する場合、印刷されたウェブ１０は縦断裁されることなく、ガイドローラ２５に案内されて、ウェブパス部４と折機５とにこの順で搬送される。
【００４４】
このように、ウェブ１０（縦断裁後はウェブ１０Ａ，１０Ｂ）は、給紙部２１から繰り出された後、インフィード部２２を経て、複数のガイドローラ２５の案内によって規定された所定の搬送経路１１に沿って、オフセット印刷部２３やインクジェット印刷機３に搬送され供給されるようになっており、本発明のウェブ供給手段が、給紙部２１やインフィード部２２やガイドローラ２５を備えて構成されている。
【００４５】
なお、ガイドローラ２５ａを含むガイドローラ２５は、それぞれ、版胴２３ａやブランケット胴２３ｂと同様に、軸方向両端を一対のフレーム２４ａ，２４ｂ（図２（ａ），（ｂ）参照）により回転可能に支持されている。
【００４６】
ここで、オフセット印刷ユニット２０Ａに通紙されるウェブ１０Ａの印刷絵柄は、固定絵柄（一定して変更されない絵柄）に加えて可変絵柄（所定枚数毎に規則的に、又は、不規則に変更される印刷絵柄）を含む。このため、このウェブ１０Ａは、オフセット印刷ユニット２０Ａにより、版胴２３ａの刷版に形成された印刷画像すなわち固定絵柄が印刷された後に、上述のとおりインクジェット印刷機３に搬送され、このインクジェット印刷機３によりデジタルソースに基づく可変絵柄が印刷される。
一方、オフセット印刷ユニット２０Ａを通過したウェブ１０Ｂ及びオフセット印刷ユニット２０Ｂ〜２０Ｆを通過したウェブ１０Ａ，１０Ｂの印刷絵柄は固定絵柄のみであり、これらのウェブ１０Ａ，１０Ｂにはオフセット印刷ユニット２０Ａ〜２０Ｆによりこの固定絵柄が印刷される。
【００４７】
［１−１−２．ウェブパス部及び折機］
ウェブパス部４は、オフセット印刷ユニット２０Ａ〜２０Ｆによって印刷されたウェブ１０Ａ，１０Ｂの重ね合わせ順を変更するものであり、オフセット印刷ユニット２０Ａ〜２０Ｆによって印刷されたウェブ１０Ａ，１０Ｂが折機５に搬送されるまでの区間を構成する。ウェブパス部４の内、オフセット印刷ユニット２０Ｄ，２０Ｅ，２０Ｆの上方に配置されている部分は、ウェブ１０Ａ，１０Ｂを案内するガイドローラ２６と、これらのガイドローラ２６の軸方向両端を回転可能に支持する一対のフレーム（図示略）を備えており、また、ウェブ１０Ａ，１０Ｂの向きを変えるターンバー（図示略）も備えている。
【００４８】
折機５は、新聞紙用の折り仕様で折帖（新聞紙）を作成するものであり、三角板５１と、三角板５１の下流側にウェブ搬送経路１１を挟んで対向配置された鋸胴５２と折胴５３と、折胴５３の下方に設けられた一対の折込ローラ（図示略）とを備えて構成されている。ウェブパス部４で所定の順番に重ねられたウェブ１０Ａ，１０Ｂは、三角板５１へと搬送され、三角板５１によって縦折りされ、さらに鋸胴５２と折胴５３との間に搬送され、鋸胴５２により横断裁され、さらに折胴５３と折込ローラにより横折されて折帖が形成される。
【００４９】
［１−１−３．インクジェット印刷機の構成］
図２は、本発明の第１実施形態に係るインクジェット印刷機の構成を示す斜め上方から視た模式的な斜視図であって、（ａ）はオフセット印刷ユニットのフレームと共に示す図、（ｂ）は片側の支持プレートを外して示す図である。
図３は、本発明の第１実施形態に係るインクジェット印刷機の構成を片側の支持プレートを外して示す模式な側面図である。
【００５０】
インクジェット印刷機３は、図２（ａ），（ｂ）及び図３に示すように、一対の横長の支持プレート（支持部）３１ａ，３１ｂと、４組のデジタル印刷部３２Ｃ，３２Ｍ，３２Ｙ，３２Ｋ（以下、特に区別しない場合にはデジタル印刷部３２と表記する）と、複数（本実施形態では６個）のガイドローラ３５と、一対の加熱ランプ（定着装置）３６，３６とを備えて構成されている。
【００５１】
各支持プレート３１ａ，３１ｂは、それぞれ、正面視で、横長台形の左右両端を縦に切り取ったような形状を有している。本実施形態では、各支持プレート３１ａ，３１ｂの配置により規定されるインクジェット印刷機３の幅寸法は、各フレーム２４ａ，２４ｂの配置により規定されるオフセット印刷ユニット２０の幅寸法と一致又は略一致しており、支持プレート３１ａは、オフセット印刷ユニット２０のフレーム２４ａの上端に載置され、支持プレート３１ｂは、オフセット印刷ユニット２０のフレーム２４ｂの上端に載置される。支持プレート３１ａ，３１ｂとフレーム２４ａ，２４ｂとは、接続具，嵌め合い等の内の一つ又は複数の組み合わせによってフレーム２４ａ，２４ｂに固定される。
【００５２】
支持プレート３１ａ，３１ｂとフレーム２４ａ，２４ｂとを接続具や嵌め合いにより固定する場合には、接続具や、嵌め合いのための構造を、インクジェット印刷機３の支持プレート３１ａ，３１ｂに予め設けることが好ましい。これにより、既設の輪転機にインクジェット印刷機３を追加する場合にも、その取り付けが容易になる。
【００５３】
デジタル印刷部３２Ｃ，３２Ｍ，３２Ｙ，３２Ｋは、ウェブ１０の入口から出口に亘って支持プレート３１ａ，３１ｂの上縁に略沿うようにして上方に凸となる緩やかな曲線上に配設されている。また、デジタル印刷部３２Ｃ，３２Ｍ，３２Ｙ，３２Ｋは、上流側からこの順に配置されており、デジタル印刷部３２Ｃはシアンによる印刷を行い、デジタル印刷部３２Ｍはマゼンダによる印刷を行い、デジタル印刷部３２Ｙはイエローによる印刷を行い、デジタル印刷部３２Ｋはブラックによる印刷を行う。
【００５４】
各デジタル印刷部３２は、インクをウェブ１０に噴射する印刷ヘッド３３と、印刷ヘッド３３を幅方向に沿って移動させるヘッド移動機構（ヘッド移動手段）と、ガイドローラ３５とを備えて構成されている。ヘッド移動機構は、一対のガイドレール３４と、印刷ヘッド３３をガイドレール３４上で移動させるための図示しない駆動機構とを備えて構成されている。
【００５５】
印刷ヘッド３３は、ウェブに対向する下面に多数のインク噴射口を有しており、印刷絵柄に対応した位置にあるインク噴射口からインクを噴射することで、ウェブに所定の絵柄を印刷することができる。本実施形態では、印刷ヘッド３３は、新聞紙１頁分の幅寸法（換言すれば、ウェブ１０の四分の一の幅寸法、ウェブ１０Ａの半分の幅寸法）に対しインクを噴射できる幅寸法を有している。つまり、本実施形態におけるインクジェット印刷機３の印刷可能な最大幅（デジタル印刷幅）は、新聞紙１頁幅であり、新聞４頁幅であるオフセット印刷ユニット２０の最大印刷幅（オフセット印刷幅）よりも小さい設定となっている。
【００５６】
一対のガイドレール３４，３４は、それぞれ、幅方向Ｗに延在し、その幅方向両端を支持プレート３１ａ,３１ｂに固定されている。また、ガイドレール３４，３４は、印刷ヘッド３３の下部を上流側と下流側とから挟むようにして、且つ、その下端を印刷ヘッド３３の下端に一致させて（又は略一致させて）配置されている。
【００５７】
ガイドローラ３５は、幅方向Ｗに延在し、その幅方向両端を支持プレート３１ａ,３１ｂに回転可能に支持定されており、ウェブ１０Ａを各デジタル印刷部３２の印刷部（印刷ヘッド３３の下方）に案内する。複数のガイドローラ３５は、ウェブ１０の入口から出口に亘って、印刷ヘッド３３及びガイドレール３４の下方に隙間を空けて配置されている。換言すれば複数のガイドローラ３５は、印刷ヘッド３３及びガイドレール３４の僅か下方においてガイドレール３４の配置に沿うように配置されている。
【００５８】
加熱ランプ３６は、最下流のデジタル印刷部３２Ｋの下流側に配設されて、印刷ヘッド３３からウェブ１０Ａに噴射されたインクを、加熱乾燥してウェブ１０Ａに定着させるためのものである。
加熱ランプ３６は、上下一対に配設され、それぞれ幅方向Ｗに延在する。これらの加熱ランプ３６，３６は、それぞれ、図示しない固定部材を介して支持プレート３１ａ，３１ｂに固定されており、新聞４頁幅（換言すればウェブ１０の全幅）の長さを有している。
なお、加熱ランプ３６，３６は、両方又は一方をオフセット印刷ユニット２０Ａのフレーム２４ａ，２４ｂに支持させても良い。
【００５９】
インクジェット印刷機３は、このように構成されているので、新聞２頁幅のウェブ１０Ａに対して、デジタル印刷部３２により、デジタルソースに基づく可変絵柄が、最大で新聞１頁幅に亘って印刷され、可変絵柄を印刷されたウェブ１０Ａは、加熱ランプ３６，３６の照射側を通過してその際に可変絵柄（インク）が乾燥されウェブ１０Ａに定着する。
【００６０】
本実施形態では、インクジェット印刷機３によって可変絵柄を印刷されるのは、ウェブ１０Ａの内、紙面奥側の片側半分１０Ａａであるため、各印刷ヘッド３３を、この片側半分１０Ａａに可変絵柄を印刷できるようにウェブ１０ａの片側半分１０Ａａの搬送経路に面して予め移動させている。
片側１０Ａａに代わって、反対側の片側半分１０Ａｂに可変絵柄を印刷する場合には、片側１０Ａａの搬送経路に面するように各印刷ヘッド３３を予め移動させればよい。
【００６１】
ウェブ１０Ａに代えてウェブ１０Ｂに可変絵柄を印刷する場合には、ウェブ１０Ｂをインクジェット印刷機３に供給する。この場合、ウェブ１０Ａに代えてウェブ１０Ｂを、ガイドローラ２５ａ（図１参照）を通してインクジェット印刷機３に搬送すると共に、ウェブ１０Ｂの印刷頁の搬送経路に面するように各印刷ヘッド３３をヘッド移動機構により予め移動させればよい。
【００６２】
また、本実施形態では、インクジェット印刷機３は、オフセット印刷ユニット２０Ａにしか装備されていないが、インクジェット印刷機３により可変絵柄を印刷できる新聞紙の頁は特定の頁に限定されない。
つまり、ウェブパス部４によりオフセット印刷ユニット２０Ａ〜２０Ｆで印刷されたウェブ１０Ａ，１０Ｂの重ね合わせ順を変更することができるので、オフセット印刷ユニット２０Ａ及びインクジェット印刷機３により印刷された可変絵柄を含むウェブ１０Ａを、新聞紙における適宜の頁とすることができる。
【００６３】
［１−２．制御構成］
図４は、本発明の第１実施形態に係る輪転機の制御装置の構成を示す模式的なブロック図である。
本発明の第１実施形態に係る制御装置１００の構成を、図４を参照して説明する。
【００６４】
輪転機１の制御装置１００は、図４に示すように、複数のローカルの制御装置を備えて構成されている。具体的には、制御装置１００は、輪転印刷機２に設けられたオフセット印刷制御装置（オフセット印刷制御手段）１０１と、折機５に設けられた折機制御装置１０２と、インクジェット印刷機３に設けられたインクジェット印刷制御装置（デジタル印刷制御手段）１０３と、ウェブパス部４に設けられたウェブパス部制御装置１０４とを備えて構成されている。制御装置１００は、上位の生産管理装置２００から生産情報を取得し、この生産情報に基づいて、上記の制御装置１０１，１０２，１０３，１０４を介してオフセット印刷ユニット２０，折機５, インクジェット印刷機３及びウェブパス部４を制御する。
なお、ローカルの制御装置１０１，１０２，１０３，１０４に代えて、単一の制御装置１００内に、これらの制御装置１０１，１０２，１０３，１０４の機能を割り振ってもよい。
【００６５】
オフセット印刷制御装置１０１は、各オフセット印刷ユニット２０の各種作動を制御するものであり、例えば、各オフセット印刷ユニット２０のオフセット印刷の開始タイミングを制御するものである。
【００６６】
折機制御装置１０２は、鋸胴制御部１０２ａなどを備えて、折機５の鋸胴５２や折胴５３の作動を制御するものであり、例えば、鋸胴５３の横断裁のタイミングを制御するものである。
インクジェット印刷制御装置１０３は、生産管理装置２００から取得した絵柄情報に基づいて、可変絵柄が印刷される頁に対応する箇所にインクジェット印刷機３の印刷ヘッド３３を移動させる。
【００６７】
また、インクジェット印刷制御装置１０３は、インクジェット印刷機３に通紙されるウェブ１０Ａに関する運転情報を生産管理装置から取得し、この運転情報に基づいて、インクジェット印刷機３による印刷を開始するタイミング（印刷開始タイミング）を変更するようにしている。
つまり、インクジェット印刷制御装置１０３は、インクジェット印刷機３による印刷開始タイミングを設定するための情報（印刷開始タイミング情報）として、オフセット印刷制御装置１０１からオフセット印刷ユニット２０Ａの印刷開始タイミング情報を取得すると共に、鋸胴制御部１０２ａからウェブ１０Ａの横断裁タイミング情報を取得して、インクジェット印刷機３に通紙されるウェブ１０Ａの印刷絵柄に固定絵柄が含まれるか否かに応じて、何れか一方の印刷開始タイミング情報に基づいてインクジェット印刷機３による印刷開始タイミングを決定する。
【００６８】
詳しく言えば、インクジェット印刷制御装置１０３は、生産管理装置２００から絵柄情報を取得し、インクジェット印刷機３に通紙されるウェブ１０Ａの絵柄情報が、固定絵柄と可変絵柄との両方が含まれることを示している場合には、オフセット印刷ユニット２０Ａによる印刷開始タイミング情報に基づいてインクジェット印刷機３の印刷開始タイミングを決定する。
一方、インクジェット印刷制御装置１０３は、生産管理装置２００から取得したウェブ１０Ａの絵柄情報に固定絵柄が含まれない場合には、鋸胴制御部１０２ａから取得した横断裁タイミング情報に基づいてインクジェット印刷機３の印刷開始タイミングを決定する。
なお、オフセット印刷ユニット２０Ａに通紙されるウェブ１０の印刷絵柄に固定絵柄のみ含まれている場合には、インクジェット印刷機３は印刷を行なわないので、インクジェット印刷制御装置１０３において印刷開始タイミングを決定することはない。
【００６９】
ウェブパス制御部１０４は、生産管理装置２００から取得した情報に基づいて、オフセット印刷ユニット２０Ａ〜２０Ｆから搬送されてくるウェブ１０Ａ，１０Ｂの重ね合わせ順が所定の順序となるように、ウェブパス部４の作動を制御するものである。
【００７０】
［１−３．作用・効果］
本発明の第１実施形態の輪転機１によれば、以下の作用・効果が得られる。
印刷絵柄に可変絵柄が含まれる場合は、固定絵柄については、オフセット印刷ユニット２０によってオフセット印刷され、可変絵柄についてはインクジェット印刷機３によって印刷される。インクジェット印刷機３は、ウェブの搬送経路１１に面して配置されており、オフセット印刷ユニット２０に付属のウェブ供給手段（給紙部２１やインフィード部２２やガイドローラ２５など）によって搬送経路１１を搬送されるウェブ１０Ａに対して可変絵柄を印刷する。すなわち、ウェブ供給手段が、オフセット印刷ユニット２０（オフセット輪転印刷機２）とインクジェット印刷機３とで共用化されることとなる。
さらに、インクジェット印刷機３によって可変絵柄を印刷されたウェブ１０Ａは、オフセット印刷ユニット２０に付属したウェブパス部４及び折機５によって重ね合わせ順が変更され、折帖とされる。
【００７１】
すなわち、ウェブ供給手段に加えて、ウェブパス部４及び折機５が、オフセット印刷ユニット２０（オフセット輪転印刷機２）とインクジェット印刷機３とで共用化されることとなる。
したがって、ウェブ供給手段，ウェブパス部４及び折機５を共有化できる分、インクジェット印刷機３を備えることによる輪転機の製造コストの増大及び設置スペースの増大を抑制することができる。特に、インクジェット印刷機３はオフセット印刷ユニット２０Ａの上方に配置されるので、設置床面積を従来の輪転機よりも拡張することが不要となる。
【００７２】
インクジェット印刷機３を輪転印刷機２に内蔵する場合には、輪転印刷機２がインクジェット印刷機３の内部に入り込むので、インクジェット印刷機３の設置スペースを確保するために、構成部品の配置を従来構造から変更するなど輪転印刷機２の構造を従来構造から大きく変更する必要がある。
これに対し、本発明では、インクジェット印刷機３は、オフセット印刷ユニット２の上方に配置される。すなわちオフセット印刷ユニット２ひいては輪転印刷機２に対して外付けされる。したがって、インクジェット印刷機３を輪転印刷機２に内蔵する場合に較べ、輪転印刷機２の構造に、一般的な輪転印刷機の構造をほぼそのまま使用することができる。さらには、インクジェット印刷機３が輪転印刷機２の内部に入りこんでいないので、インクジェット印刷機３のメンテナンスの際、インクジェット印刷機３にアクセスしやすいと共に作業スペースを確保しやすい。したがって、インクジェット印刷機３のメンテナンスを容易に行うことができる。
【００７３】
さらには、上述のとおり輪転印刷機に一般的な輪転印刷機と同様のものを使用することができると共にインクジェット印刷機の装備に伴う設置床面積の拡張が不要となるので、既設の一般的な輪転機に対してデジタル印刷機を追設し本発明の輪転機に改造することを容易に行える。
例えば本実施形態では、輪転印刷機２は、従来の輪転印刷機に対して、ウェブ１０Ａをインクジェット印刷機３の入口へ搬送するためのガイドローラ２５ａを追加しただけの構成である。
【００７４】
また、インクジェット印刷機３の印刷幅が、新聞紙の１頁幅を印刷可能なサイズに設定されているので、可変絵柄を印刷できる領域を広く取ることや、新聞紙の１頁全部の絵柄を可変絵柄とすることができ、可変絵柄のバリエーションを増加することができる。例えば、従来は、可変絵柄として、懸賞付きチラシに付された抽選番号やクーポン等の小さい絵柄しか印刷することができなかったが、地域版広告や地域向け記事などを可変絵柄として印刷することができ、地域毎に内容を細分化して、新聞紙の付加価値を一層高めることができる。
【００７５】
加えて、インクジェット印刷機３が、新聞紙の１頁幅に亘るような大きな領域に対して印刷できるので、インクジェット印刷機３のみを使用して、対応する幅の用紙を供給することで、新聞紙以外の完全デジタル印刷にも適用可能となる。
なお、このようにインクジェット印刷機３のみを使用する場合には、インクジェット印刷機３とウェブ供給手段を共用しているオフセット印刷ユニット２０Ａ以外のオフセット印刷ユニット２０Ｂ〜２０Ｆは停止状態となる。また、オフセット印刷ユニット２０Ａも印刷部２３では印刷は行わない。
【００７６】
また、インクジェット印刷機３に搬送されるウェブ１０Ａの幅寸法よりも小さい幅寸法の印刷ヘッド３３を、ウェブ１０Ａの幅方向に沿って移動させる構成とすることで、インクジェット印刷機３の他の部品に較べて高価な印刷ヘッド３３のコストを抑制しつつウェブ１０Ａの適宜の位置に可変絵柄を印刷することができる。
【００７７】
さらに、ウェブ１０Ａに対し、オフセット印刷ユニット２０Ａにより固定絵柄を印刷すると共にインクジェット印刷機３により可変絵柄を印刷する場合には、インクジェット印刷機３は、オフセット印刷の開始タイミング情報（試し刷り後の本刷りのタイミング情報）に基づいたタイミングで可変絵柄の印刷を開始する。これにより、オフセット印刷ユニット２０により印刷される固定絵柄の位置に併せて可変絵柄を印刷することができ、固定絵柄と可変絵柄との位置関係を正確に保持することができる。
【００７８】
一方、ウェブ１０Ａに対し、インクジェット印刷機３のみを使用して絵柄を印刷する場合には、インクジェット印刷機３は、鋸胴５２による横断裁を行うタイミングに基づいたタイミングで印刷を開始することができる。これにより、鋸胴により断裁される箇所に併せて絵柄を印刷することができ、断裁された箇所（つまり新聞紙の端）と可変絵柄との位置関係を正確に保持することができる。
【００７９】
したがって、オフセット印刷ユニット２０とインクジェット印刷機３との両方を使用して印刷を行う場合と、インクジェット印刷機３のみで印刷を行う場合との両場合について、印刷品質を保持することができる。
【００８０】
［２．第２実施形態］
［２−１．新聞用輪転機の構成］
本発明の第２実施形態としての新聞用輪転機（以下、単に輪転機という）は、第１実施形態の輪転機に対して、新聞紙用の折機５に加えて、図１中に二点鎖線で示すように折機（第２折機）５Ａをオフセット印刷ユニット２０Ａの隣に配置したものであり、印刷後のウェブ（例えば、少なくともインクジェット印刷機３により可変絵柄が印刷されたウェブ１０Ａ）が図示しないガイドローラにより案内されて折機５Ａへと供給されるようになっている。
折機５が新聞紙専用であったのに対し、この折機５Ａは、新聞紙用以外の折仕様でウェブを折帖に作成することができる。新聞紙用以外の折仕様が行われる場合（換言すれば新聞紙以外の印刷物を作成する場合）には、インクジェット印刷機３を使用することが多いので、本実施形態では、折機５Ａは、図１に示すように、インクジェット印刷機３が取り付けられたオフセット印刷ユニット２０Ａの隣に配置されている。もちろん、折機５Ａは、インクジェット印刷機３と共にオフセット印刷ユニット２０Ａ〜２０Ｆにより印刷が行われる場合に使用することもできる。
【００８１】
新聞紙用以外の折仕様とは、例えば以下のとおりであり、このような折仕様でウェブを折帖とするものが折機５Ａとして使用される。
（１）Ｂ４−２頁ペラ×２。つまり、幅寸法４０６ｍｍ、縦寸法５４６ｍｍの両面印刷された用紙を、２つにカットしてＢ４サイズのチラシを２枚作成する。
（２）Ｂ５−８頁折。つまり、幅寸法４０６ｍｍ、縦寸法５４６ｍｍの両面印刷された用紙を、２回折ってＢ５×８頁にする。
【００８２】
或いは、新聞紙用の以外の折仕様でウェブを折帖とするものとして、折帖の長さを変更可能な折機や、折帖の頁数を変更可能な折機を、折機５Ａに使用しても良い。
折帖の長さを変更可能な折機は、印刷済みのウェブを重ねた後に縦折りして横断裁することで折帖を形成し、印刷物の印刷情報に応じて鋸胴の回転速度を調整することで折帖の長さを変更することができる。
折帖の頁数を変更可能な折機は、印刷済みのウェブを鋸胴によって切断して所定長さのシートとし、このシートを針装置を使用して折胴に所定枚数重ねた後、折胴と折込ローラとにより折り畳むことで任意の頁数の折帖を作成することができる。
【００８３】
［２−２．作用・効果］
本発明の第２実施形態の輪転機によれば、新聞紙用の以外の折仕様でウェブを折帖とする折機５Ａを備えているので、作成できる折帖のバリエーションを増やすことができる。
また、折機５Ａに、上述のように折仕様（折帖の長さや頁数）を変更可能な折機を使用すれば、新聞紙用以外の折仕様でウェブを折帖とすることができると共に、新聞紙用の折仕様でウェブを折帖とすることもできるので、新聞紙専用の折機５が故障した場合には、折機５Ａを使用して新聞紙を作成することができる。
【００８４】
［３．その他］
（１）上記各実施形態では、インクジェット印刷機３を、ウェブ搬送経路１１上のウェブ１０Ａに対して印刷可能に、オフセット印刷ユニット２０Ａのフレーム２４ａ，２４ｂに支持させたが、インクジェット印刷機３は、オフセット輪転印刷機２の上方のウェブ搬送経路１１上のウェブ１０Ａに対して印刷可能に、オフセット輪転印刷機２の装置フレームに支持されていれば良い。
したがって、インクジェット印刷機３を、図１に二点鎖線で示すようにウェブパス部４の上方に配置するとともに、ウェブパス部４を通るウェブ１０Ａ，１０Ｂの少なくとも一方を、このインクジェット印刷機３の印刷ヘッド３３に導くように構成しても良い。この際、インクジェット印刷機３は、その支持プレート３１ａ，３１ｂ〔図２（ａ），（ｂ）参照〕を、ガイドローラ２６を回転可能に支持するフレーム（装置フレーム，ウェブパス部フレーム）に支持させればよい。
【００８５】
（２）上記各実施形態では、インクジェット印刷機３は、４色のインクを使用する４色刷りとしたが、使用するインクの数は４色に限定されず、例えばブラック一色であってもよい。また、使用するインクの色も、上記各実施形態で例示したシアン，マゼンダ，イエロー及びブラックに限定されず、他の色のインクを使用してもよい。
【００８６】
（３）上記各実施形態では、インクジェット印刷機３を一台だけオフセット印刷ユニット２０Ａに使用したが、インクジェット印刷機３の設置台数は一台に限定されず、また、インクジェット印刷機３を設置するオフセット印刷ユニット２０は、オフセット印刷ユニット２０Ａに限定されない。例えば、インクジェット印刷機３を一台だけオフセット印刷ユニット２０Ｂに取り付けても良いし、インクジェット印刷機３を各オフセット印刷ユニット２０Ａ〜２０Ｆに取り付けても良い。
【００８７】
（４）上記各実施形態では、インクジェット印刷機３の印刷幅（印刷可能な最大幅）を新聞紙の１頁幅としたがこれに限定されず、例えば新聞紙の２頁幅であっても良いし、新聞紙の１頁未満であってもよい。
【００８８】
（５）上記各実施形態では、インクジェット印刷機３は、印刷ヘッド３３を移動させる機構を備えて構成されていたが、印刷ヘッド３３を移動させる機構は必須ではない。例えば、印刷ヘッド３３の幅を、インクジェット印刷機３を通過する最大幅のウェブに対して全幅に亘って印刷可能なサイズに設定して、位置固定としてもよい。あるいは、可変印刷が施される印刷物（新聞紙）の頁が固定されているのであれば、最大印刷幅が１頁幅の印刷ヘッド３３を位置固定とすることもできる。
【００８９】
（６）上記実施形態では、図２（ａ）に示すように、インクジェット印刷機３を、その支持プレート３１ａ，３１ｂをオフセット印刷ユニット２０Ａのフレーム２４ａ，２４ｂに直接支持させる構成としたが、インクジェット印刷機３の幅寸法が、オフセット印刷ユニット２０Ａの幅寸法よりも小さい場合には、図５に示すように構成してもよい。
図５は、インクジェット印刷機の支持構造の変形例を示す模式的な正面図である。
図５に示す構成では、インクジェット印刷機３Ａの幅寸法が、上記実施形態のインクジェット印刷機３よりも小さく、オフセット印刷ユニット２０の幅寸法の１／２程度である。このため、フレーム２４ａ，２４ｂの上端に梁２４ｃを水平に掛け渡し、この梁２４ｃにインクジェット印刷機３Ａを載置するようにしている。
【００９０】
（７）上記実施形態では、インクジェット印刷機３によりウェブ１０Ａの片面にだけを可変絵柄を印刷したが、図６に示すように構成して、ウェブ１０Ａの両面に可変絵柄を印刷するようにしてもよい。
図６は、輪転機の変形例の構成を示す模式的な側面図である。
図６に示す構成では、インクジェット印刷機３の上方に、インクジェット印刷機３と同様に構成されるインクジェット印刷機３Ｂを配置し、このインクジェット印刷機３Ｂに、インクジェット印刷機３によって印刷の施されたウェブ１０Ａを、追加のガイドロール２５によりウェブ１０Ａの上下面を反転させて（印刷ヘッド３３に対面する被印刷面を入れ替えて）供給するようにしている。これにより、ウェブ１０Ａの両面に可変絵柄を印刷できるようにしている。なお、インクジェット印刷機３Ｂは、図示しない支持部材により、インクジェット印刷機３の支持プレート３１ａ，３１Ｂ又はオフセット印刷ユニット２０Ａのフレーム２４ａ，２４ｂに支持させている。
【００９１】
（８）上記実施形態では、図２（ａ），（ｂ）に示すように、インクジェット印刷機３の加熱ランプ３６に、インクジェット印刷機３の略全幅に亘る長尺の加熱ランプを使用したが、図２（ｂ）に破線で示すようなヘッド３３と同程度の短尺の加熱ランプを使用することもできる。
【００９２】
具体的な構成を、図７（ａ），（ｂ）により説明する。
図７（ａ），（ｂ）は加熱ランプ３６の変形例を示す模式的な平面図である。
図７（ａ）に示す構成では、短尺の加熱ランプ３６Ａと、この加熱ランプ３６Ａを幅方向に沿って移動させるランプ移動機構（定着装置移動手段）が備えられている。ランプ移動機構は、加熱ランプ３６Ａを挟みつけるようにして配設されると共にインクジェット印刷機３の略全幅に亘って延在する一対のレール３６ａと、加熱ランプ３６Ａをこのレール３６ａ上で走行させる図示しない駆動装置とから構成される。
インクジェット印刷制御装置１０３（図４参照）は、生産管理装置２００から取得した絵柄情報に基づいて、ランプ移動機構を制御して加熱ランプ３６Ａを可変絵柄が印刷される位置に移動させる。
【００９３】
図７（ｂ）に示す構成では、複数（ここでは４個）の短尺の加熱ランプ３６Ｂが、インクジェット印刷機３の略全幅に亘って、幅方向Ｂに沿って並べられている。これらの加熱ランプ３６Ｂはインクジェット印刷制御装置１０３によって個別に作動を制御される。インクジェット印刷制御装置１０３は、生産管理装置２００から取得した絵柄情報に基づいて、可変絵柄が印刷される幅方向位置にある加熱ランプ３６Ｂをオンする。
このような図７（ａ），（ｂ）に示す構成により、インクジェット印刷機３により印刷される領域に位置する短尺の加熱ランプ３６Ａ，３６Ｂをオンするだけなので、加熱ランプ３６Ａ，３６Ｂの作動に伴うランニングコストを削減することができると共に、不要に加熱されることでウェブに紙皺などの障害が発生することを抑制することができる。
【００９４】
（９）図３に示すように、インクジェット印刷機３では、ヘッダ３３とガイドローラ３５との距離、ひいてはヘッダ３３とウェブ１０Ａとの距離が僅かである。このため、ウェブ１０Ａが断紙した場合には、断紙したウェブ１０Ａの端がばたついて印刷ヘッダ３３に接触するおそれがある。
また、ウェブ１０Ａが紙継された場合には、紙継された（重ねられた）上側のウェブと下側のウェブとは一部が接着されているが、ウェブの端が接着されていないと、この端が印刷ヘッダ３３に接触するおそれがある。
【００９５】
そこで、インクジェット印刷機３において、ガイドローラ３５をヘッダ３３から進退させるローラ進退装置を設け、ウェブ１０Ａの断紙及び紙継の少なくとも一つが検出された場合には、ローラ進退装置を作動させて、ガイドローラ３５をヘッダ３３から退避（離隔）させるようにしても良い。或いは、このローラ進退装置に替えて又は加えて、ウェブ１０Ａの上面にエアを噴射するエア噴射ノズルをインクジェット印刷機３に設け、ウェブ１０Ａの断紙及び紙継の少なくとも一つが検出された場合には、エア噴射ノズルからウェブ１０Ａの上面にエアを噴射するようにしてもよい。
これらにより、ウェブ１０Ａが印刷ヘッダ３３に接触することを抑制することができる。
インクジェット印刷機３のウェブ１０Ａの入口や出口に検出器を設けこの検出器によりウェブ１０Ａのばたつきを検出することでウェブ１０Ａの断紙を検出することができ、ウェブ１０Ａの紙継情報は給紙部２１から取得することができる。
【００９６】
（１１）上記実施形態では、インクジェット印刷機３から噴射されたインクをウェブに定着するための定着手段に、加熱ランプを使用したが、加熱ランプに替えて、乾燥空気を吹き付ける手段やウェブが巻き付けられる加熱ドラムを使用しても良い。また、インクが紫外線硬化型のインクの場合には、定着手段として紫外線ランプが使用される。
【００９７】
（１２）上記実施形態では、デジタル印刷機として印刷速度の速いインクジェット印刷機を使用したが、デジタル印刷機は、版を使用せずにデジタルソースを直接印刷できるデジタル印刷機であればよく、例えば、液体トナーを使用した電子写真印刷機，レーザープリンタ，熱転写プリンタ，ドットインパクトプリンタなどでもよい。この印刷機の中では印刷速度が速いことから、液体トナーを使用した電子写真印刷機を使用することが好ましい。
【符号の説明】
【００９８】
１  新聞用輪転機（輪転機）
２  オフセット輪転印刷機（輪転印刷機）
３，３Ａ，３Ｂ  インクジェット印刷機（デジタル印刷機）
４  ウェブパス部
５  新聞紙用の折機（第１折機）
５Ａ  折機（第２折機）
１０，１０Ａ，１０Ｂ  ウェブ
１０Ａａ，１０Ａｂ  ウェブ１０Ａの幅方向における片側半分
１０ａ  ウェブロール
１１  搬送経路
２０Ａ〜２０Ｆ  タワー型オフセット印刷ユニット（オフセット印刷ユニット）
２１  給紙部
２２  インフィード部
２３  オフセット印刷部
２３ａ  版胴
２３ｂ  ブランケット胴
２４ａ，２４ｂ  オフセット印刷ユニットのフレーム（装置フレーム，印刷部フレーム）
２４ｃ  梁
２５，２５ａ，２６  ガイドローラ
３１ａ，３１ｂ  支持プレート（支持部）
３２Ｃ，３２Ｍ，３２Ｙ，３２Ｋ  デジタル印刷部
３３  印刷ヘッド
３４  ガイドレール
３５  ガイドローラ
３６，３６Ａ，３６Ｂ  加熱ランプ（定着装置）
５１  三角板
５２  鋸胴
５３  折胴
１００  制御装置
１０１  オフセット印刷制御装置（オフセット印刷制御手段）
１０２  折機制御装置
１０２ａ  鋸胴制御部（鋸胴制御手段）
１０３  インクジェット印刷制御装置（デジタル印刷制御手段）
１０４  ウェブパス制御部
【図１】
0006568763.tif 000002
【図２】
0006568763.tif 000003
【図３】
0006568763.tif 000004
【図４】
0006568763.tif 000005
【図５】
0006568763.tif 000006
【図６】
0006568763.tif 000007
【図７】
0006568763.tif 000008